(57)【要約】【課題】ロータにおいて水分吸着量が低減するおそれを減らすことができる空調室外ユニットの提供。【解決手段】空調室外ユニット３０は、送風機室を有するケーシング４０と、送風機室に配置される室外熱交換器３３と、送風機室に配置される室外ファン３９と、加湿ユニット６０とを備える。室外ファン３９は、室外熱交換器３３に外気を通す。加湿ユニット６０は、板状のロータ６３を有する。ロータ６３は、外気中の水分を吸着する吸湿領域６３ａと、吸湿領域６３ａに吸着した水分を放湿する放湿領域６３ｂとを含む。また、ロータ６３は、鉛直面に沿って配設されている。さらに、吸湿領域６３ａは、送風機室の室外熱交換器３３と室外ファン３９との間に配置されている。そして、ロータ６３の外周縁或いはその近傍から室外熱交換器３３に向かって延びるガイド６９が設けられている。【選択図】図１
2015068592.tif 000002
【特許請求の範囲】
【請求項１】
送風機室（Ｓ１）を有するケーシング（４０）と、
前記送風機室に配置される室外熱交換器（３３）と、
前記送風機室に配置されており、前記室外熱交換器に外気を通す室外ファン（３９）と、
外気中の水分を吸着する吸湿領域（６３ａ）と前記吸湿領域に吸着した水分を放出する放湿領域（６３ｂ）とを含み鉛直面に沿って配設される板状のロータ（６３）、を有する加湿ユニット（６０）と、
を備え、
前記吸湿領域は、前記送風機室の前記室外熱交換器と前記室外ファンとの間に配置されており、
前記ロータの外周縁或いはその近傍から前記室外熱交換器に向かって延びるガイド（６９）が設けられている、
空調室外ユニット（３０）。
【請求項２】
前記ガイドは、前記室外熱交換器近傍まで延びている、
請求項１に記載の空調室外ユニット。
【請求項３】
前記ガイドは、前記室外熱交換器に突き当たるように構成されている、
請求項１又は２に記載の空調室外ユニット。
【請求項４】
前記ロータと前記室外熱交換器との間の空間は、前記ガイドによって閉空間に構成されている、
請求項３に記載の空調室外ユニット。
【発明の詳細な説明】
【技術分野】
【０００１】
本発明は、加湿ユニットを備える空調室外ユニットに関する。
【背景技術】
【０００２】
従来より、圧縮機、室外熱交換器及び室外ファンなどを収納する室外ユニットと、室内を加湿するための加湿ユニットとを備える空調室外ユニットがある。また、加湿ユニットとしては、外気から水分を吸着しかつ吸着した水分を放湿するロータを有するものがある。このような加湿ユニットには、ロータに水分を吸着させるためにロータに外気を通す専用のファンを設けたものもあるが、例えば、特許文献１（特開２００２−８９９０２号公報）では、室外熱交換器と室外ファンとの間にロータを配置し、ロータの下部を室外ファンの空気流中におくことで、ロータに水分を吸着させるための専用のファンを省略して、部品点数を削減している。
【発明の概要】
【発明が解決しようとする課題】
【０００３】
ところで、特許文献１のように、ロータに水分を吸着させるための専用のファンを設けない場合、室外ファンの風量が小さいと、通風抵抗によりロータに外気が通らず、ロータにおける水分の吸着量が低減するおそれがある。
【０００４】
そこで、本発明の課題は、ロータにおいて水分吸着量が低減するおそれを減らすことができる空調室外ユニットを提供することにある。
【課題を解決するための手段】
【０００５】
本発明の第１観点に係る空調室外ユニットは、ケーシングと、室外熱交換器と、室外ファンと、加湿ユニットと、を備える。ケーシングは、送風機室を有する。室外熱交換器は、送風機室に配置される。室外ファンは、送風機室に配置される。また、室外ファンは、室外熱交換器に外気を通す。加湿ユニットは、板状のロータを有する。ロータは、吸湿領域と、放湿領域とを含む。吸湿領域は、外気中の水分を吸着する領域である。放湿領域は、吸湿領域に吸着した水分を放湿する領域である。また、ロータは、鉛直面に沿って配設されている。さらに、吸湿領域は、送風機室の室外熱交換器と室外ファンとの間に配置されている。そして、ロータの外周縁或いはその近傍から室外熱交換器に向かって延びるガイドが設けられている。
【０００６】
本発明の第１観点に係る空調室外ユニットでは、ロータの外周縁或いはその近傍から室外熱交換器に向かって延びるガイドが設けられている。このため、室外熱交換器を通った外気が、ロータの吸湿領域に到達し、吸湿領域を通過しやすくすることができる。
【０００７】
これによって、ロータにおいて水分吸着量が低減するおそれを減らすことができる。
【０００８】
なお、ここでいうロータが鉛直面に沿って配設されるとは、ロータが鉛直面に対して全く傾斜していないものから、ロータが鉛直面に対して±１５°程度傾いて配置されているものまで含まれる。
【０００９】
本発明の第２観点に係る空調室外ユニットは、第１観点の空調室外ユニットにおいて、ガイドは、室外熱交換器近傍まで延びている。このため、この空調室外ユニットでは、室外熱交換器を通った外気がロータの吸湿領域まで到達しやすくなっている。
【００１０】
本発明の第３観点に係る空調室外ユニットは、第１観点又は第２観点の空調室外ユニットにおいて、ガイドは、室外熱交換器に突き当たるように構成されている。このため、ガイドの先端が室外熱交換器から離れている場合と比較して、室外熱交換器を通った外気がロータの吸湿領域まで到達しやすくなっている。
【００１１】
本発明の第４観点に係る空調室外ユニットは、第３観点の空調室外ユニットにおいて、ロータと室外熱交換器との間の空間は、ガイドによって閉空間に構成されている。このため、ロータと室外熱交換器との間の空間が開放されている場合と比較して、室外熱交換器を通った外気がロータの吸湿領域まで到達しやすくなっている。
【発明の効果】
【００１２】
本発明の第１観点に係る空調室外ユニットでは、ロータにおいて水分吸着量が低減するおそれを減らすことができる。
【００１３】
本発明の第２観点に係る空調室外ユニットでは、室外熱交換器を通った外気がロータの吸湿領域まで到達しやすくなっている。
【００１４】
本発明の第３観点に係る空調室外ユニットでは、室外熱交換器を通った外気がロータの吸湿領域まで到達しやすくなっている。
【００１５】
本発明の第４観点に係る空調室外ユニットでは、室外熱交換器を通った外気がロータの吸湿領域まで到達しやすくなっている。
【図面の簡単な説明】
【００１６】
【図１】本発明の一実施形態に係る空調室外ユニットを備える空気調和装置の概略冷媒回路図。
【図２】本発明の一実施形態に係る空調室外ユニットの正面図。
【図３】本発明の一実施形態に係る空調室外ユニットの斜視図。
【図４】本発明の一実施形態に係る空調室外ユニットの平面図。
【図５】加湿ユニットの分解図。
【図６】加湿ユニットの斜視図。
【図７】加湿ロータにおける空気流れを説明するための図。
【図８】加湿ロータの放湿領域、吸湿領域及び再熱領域を説明するための図。
【図９】変形例Ａに係る空調室外ユニットにおいて、加湿ユニット及び電装品箱の配置を説明するための図。
【発明を実施するための形態】
【００１７】
以下、図面を参照しながら、本発明の実施形態について説明する。なお、本発明に係る空調室外ユニット３０の実施形態は、以下に説明する実施形態に限られるものではなく、発明の要旨を逸脱しない範囲で変更可能である。
【００１８】
（１）全体構成
本発明の一実施形態に係る空調室外ユニット３０を備える空気調和装置１０は、図１に示すように、空調室外ユニット３０の他に、空調室内ユニット２０を備えており、空調室内ユニット２０と空調室外ユニット３０とが連絡配管１２によって接続されて構成されている。この空気調和装置１０は、冷房運転、暖房運転、除湿運転、加湿運転及び換気運転などの複数の運転モードを有しており、これらの運転モードを適宜組み合わせることもできる。
【００１９】
冷房運転及び暖房運転では、室内の空気を冷やしたり温めたりするため、空調室内ユニット２０及び空調室外ユニット３０でそれぞれ熱交換が行われ、連絡配管１２を通して空調室内ユニット２０と空調室外ユニット３０との間で熱の移動がある。このような熱交換と熱の移動とを行わせるために、空気調和装置１０は、図１に示すような冷媒回路を有している。冷媒回路には、主に、圧縮機３１、四路切替弁３２、室外熱交換器３３、電動弁３４及び室内熱交換器２１が接続されている。室内熱交換器２１は、空調室内ユニット２０に設けられており、圧縮機３１、四路切替弁３２、室外熱交換器３３及び電動弁３４は、空調室外ユニット３０に設けられている。そして、連絡配管１２の中には、空調室内ユニット２０と空調室外ユニット３０とを実質的に接続している液冷媒配管１４及びガス冷媒配管１６が通っている。
【００２０】
また、加湿運転及び換気運転では、室内に外気を供給するため、連絡配管１２の中を通る給気ダクト１８を介して空調室外ユニット３０から空調室内ユニット２０への空気の移動がある。特に、加湿運転では、水分を多く含んだ湿度の高い空気を空調室外ユニット３０から空調室内ユニット２０に供給するため、空調室外ユニット３０において外気から水分を積極的に取り込む。このため、空調室外ユニット３０は、外気から水分を取り込む機能を有する加湿ユニット６０を備えている。
【００２１】
（１−１）冷媒回路の動作
冷媒回路の動作は従来からあるものと変わらないが、図１に示す冷媒回路の動作について簡単に説明する。
【００２２】
冷房時には、四路切替弁３２が図１に示す実線の状態に接続されており、圧縮機３１で圧縮されて吐出された冷媒が四路切替弁３２を介して室外熱交換器３３に送られる。室外熱交換器３３で外気との熱交換が行われて熱を奪われた冷媒は、電動弁３４に送られる。高圧液状の冷媒が電動弁３４で低圧状態に変化する。電動弁３４で膨張した冷媒は、フィルタ３５を介して液閉鎖弁３７及び液冷媒配管１４を通って室内熱交換器２１に入る。室内熱交換器２１で室内空気との熱交換が行われて熱を奪って温度が上昇した冷媒は、ガス冷媒配管１６及びガス閉鎖弁３８を通って四路切替弁３２に送られる。四路切替弁３２はガス閉鎖弁３８とアキュムレータ３６とが接続された状態であるため、ガス冷媒配管１６を通って室内熱交換器２１から送られてきた冷媒は、アキュムレータ３６を介して圧縮機３１に送られ圧縮機３１に吸入される。
【００２３】
暖房時には、四路切替弁３２が図１に示す破線の状態に接続されており、圧縮機３１で圧縮されて吐出された冷媒が室内熱交換器２１に送られる。そして、冷房時とは逆の経路をたどって、室外熱交換器３３を出た冷媒は圧縮機３１に戻ってくる。つまり、暖房時には、圧縮機３１、四路切替弁３２、ガス冷媒配管１６、室内熱交換器２１、液冷媒配管１４、電動弁３４、室外熱交換器３３、四路切替弁３２、アキュムレータ３６及び圧縮機３１の順に冷媒が循環する。
【００２４】
（２）詳細構成
（２−１）空調室内ユニット２０の構成
空調室内ユニット２０には、室内熱交換器２１の他に、図１に示すように、モータで駆動される室内ファン２２が室内熱交換器２１の下流側に設けられている。室内ファン２２としては、例えばクロスフローファンが採用される。室内ファン２２が駆動されると、空調室内ユニット２０上部の吸込口２３から吸い込まれた室内空気が、室内熱交換器２１を通過して空調室内ユニット２０下部の吹出口２４から吹き出される。
【００２５】
また、空調室内ユニット２０には、給気ダクト１８の給気口２５が、室内熱交換器２１の上流側空間に設けられている。給気ダクト１８は加湿ユニット６０に接続されており、加湿ユニット６０から送られてくる空気が給気口２５から室内熱交換器２１の上流側空間に供給される。そして、加湿ユニット６０から送られてくる空気が湿度の高い空気である場合、該空気が給気口２５から供給されている状態で室内ファン２２を駆動することにより、空調室内ユニット２０の吹出口２４から吹き出される調和空気の湿度を高くすることができる。このとき同時に室内熱交換器２１を凝縮器として用いることで、空調室内ユニット２０に、加湿運転と暖房運転を同時に行わせることができる。
【００２６】
（２−２）空調室外ユニット３０の構成
（２−２−１）空調室外ユニット３０の構成の概要
空調室外ユニット３０は、ケーシング４０を備えている。そして、図１に示すように、ケーシング４０の内部は、仕切板４３によって送風機室Ｓ１と機械室Ｓ２とに分けられている。空調室外ユニット３０では、送風機室Ｓ１から機械室Ｓ２に風が回り込まないように、送風機室Ｓ１と機械室Ｓ２とが仕切板４３によって遮蔽されている。
【００２７】
空調室外ユニット３０には、冷媒回路を構成する上述の機器や加湿ユニット６０の他に、室外ファン３９が室外熱交換器３３の前方に配設されている。なお、図１に示すように、室外ファン３９及び室外熱交換器３３は送風機室Ｓ１に配置されており、圧縮機３１、四路切替弁３２、電動弁３４及びアキュムレータ３６は、機械室Ｓ２に配置されている。
【００２８】
（２−２−２）ケーシング４０
図２は、空調室外ユニット３０の正面図であり、空調室外ユニット３０から電装品箱５０、グリル及び前板４６の一部が取り外された状態を示している。図３は、空調室外ユニット３０の斜視図であり、電装品箱５０の本体５１、グリル及び天板４８が取り外された空調室外ユニット３０において、図２で取り外されている前板４６の一部を仮想面とした状態を示している。図４は、空調室外ユニット３０の平面図であり、空調室外ユニット３０の天板４８が取外された状態を示している。なお、図４に記載の矢印は、加湿ロータ６３の吸湿領域６３ａを通る空気の流れを示している。
【００２９】
空調室外ユニット３０のケーシング４０は、図２、図３及び図４に示すように、前板４６、左側板４５、右側板４７、天板４８及び底板４９を備えている。
【００３０】
前板４６には、図２及び図３に示すように、円形の吹出口４４が形成されており、吹出口４４の周囲にリング状のベルマウス４６ａが取り付けられている。また、吹出口４４の前面側は、グリル（図示せず）で覆われており、後述する室外ファン３９のプロペラ３９ｂが空調室外ユニット３０の外部にある物と接触しないよう構成されている。グリルは、ケーシング４０の前板４６に取り付けられている。
【００３１】
また、左側板４５は、図３に示すように、格子形状に成形されており、左側方から室外熱交換器３３に外気を導くことができる。右側板４７は、後述する室外熱交換器３３の第２部分３３ｂの右端から右側面に至る後面の一部及び右側面全体を構成している。
【００３２】
なお、送風機室Ｓ１の後側には、室外熱交換器３３の第２部分３３ｂを覆う保護金網が取り付けられている。
【００３３】
また、本実施形態では、右側板４７には、後述する放湿経路の入口となる吸入口７２が形成されている。
【００３４】
仕切板４３は、図４に示すように、室外熱交換器３３の右端から前方に向かって延びるとともに、底板４９から上方に延びている。このため、仕切板４３を境として、ケーシング４０の内部は左右に並ぶ送風機室Ｓ１と機械室Ｓ２とに分かれているといえる。また、仕切板４３の後部は、底板４９から天板４８まで延びている。一方、仕切板４３の前部及び中央部には、上縁から下方に向かって切り欠かれた開口部４３ａが形成されている（図３及び図４参照）。開口部４３ａには、後述する加湿ユニット６０の一部及び電装品箱５０の一部が配置される。電装品箱５０は、本体５１と、ヒートシンク５２とを有する。本体５１は、内部が閉空間となるように直方体形状に形成されており、空調室外ユニット３０の備える各種機器の制御を行うための電装品（図示せず）が内部に収納されている。また、本体５１は、前後方向に場所を取らないように幅方向（厚さ方向）が前後に延びる縦置きの配置となっている。ヒートシンク５２は、本体５１に収納された電装品の発熱を外部に逃がすためのフィンであって、開口部４３ａから送風機室Ｓ１内に向かって突出するように配置されている。なお、仕切板４３の前端部は、前板４６に接して取り付けられる。
【００３５】
（２−２−３）室外熱交換器３３
室外熱交換器３３は、図３及び図４に示すように、上面視Ｌ型の形状を呈しており、ケーシング４０の左側板４５に正対する第１部分３３ａと、ケーシング４０の背面を構成する保護金網に正対する第２部分３３ｂとを有する。
【００３６】
また、室外熱交換器３３は、底板４９から天板４８に達する背丈を持っている。そして、室外熱交換器３３は、高さ方向に長く延びる多数のフィンと、フィンを貫いて水平に取り付けられている伝熱管とを有している。伝熱管は、室外熱交換器３３の両端部で複数回折り返されることによって高さ方向に多数列配置されている。
【００３７】
（２−２−４）室外ファン３９
室外ファン３９は、室外熱交換器３３の背面側（後方側）から室外熱交換器３３を通して吸い込まれた外気を、空調室外ユニット３０の正面側（前方側）に吹き出させるファンであって、本実施形態では、プロペラファンである。室外ファン３９は、ファンモータ３９ａと、ファンモータ３９ａによって駆動されるプロペラ３９ｂを有する。プロペラ３９ｂは、その一部がベルマウス４６ａで囲まれた空間内に入るように配置されている。また、ファンモータ３９ａはプロペラ３９ｂの背面側に取り付けられており、プロペラ３９ｂの回転軸とファンモータ３９ａの駆動軸とが結合されている。さらに、ファンモータ３９ａは、ファンモータ台（図示せず）によって支持されている。ファンモータ台は、底板４９及び室外熱交換器３３の上端３３ｔに固定された固定板（図示せず）に取り付けられている。
【００３８】
（２−２−５）加湿ユニット６０
図５は、加湿ユニット６０の分解図である。図６は、加湿ユニット６０の斜視図である。加湿ユニット６０は、吸湿経路と放湿経路とを有しており、吸湿経路が空調室外ユニット３０の送風機室Ｓ１に、放湿経路が空調室外ユニット３０の機械室Ｓ２に位置している。
【００３９】
また、空調室外ユニット３０において、加湿ユニット６０の上端の位置は、室外熱交換器３３の上端（頂部）３３ｔ近傍、或いは室外熱交換器３３の上端３３ｔよりも低い位置にあるように配置されている。なお、本実施形態では、加湿ユニット６０の上端とはフレーム７０の上端のことであり、フレーム７０の上端の高さは室外熱交換器３３の上端３３ｔの高さと一致しているものとする。
【００４０】
加湿ユニット６０は、主に、加湿ロータ６３と、ヒータ７１と、ターボファン７５と、を備えている。そして、加湿ロータ６３の一部が吸湿経路に配置されており、加湿ロータ６３の他部、ヒータ７１及びターボファン７５が放湿経路に配置されている。また、加湿ロータ６３、ヒータ７１及びターボファン７５は、フレーム７０に固定されている。より詳しくは、ヒータ７１及び加湿ロータ６３は支持板７３に固定されており、支持板７３がフレーム７０の背面側に取り付けられている（図５及び図６参照）。また、ターボファン７５は、支持板７３が取り付けられている面とは反対側のフレーム７０の正面側に取り付けられている（図５及び図６参照）。
【００４１】
さらに、加湿ユニット６０には、吸湿経路の一部を構成するガイド６９が設けられている。ガイド６９は、加湿ロータ６３の外周縁或いはその近傍から室外熱交換器３３に向かって延びている。なお、本実施形態のガイド６９は、加湿ロータ６３の外周縁から室外熱交換器３３近傍まで延びており、その先端は室外熱交換器３３に突き当たるように構成されている。さらに、本実施形態では、仕切板４３、ガイド６９及び天板４８によって、後述する加湿ロータ６３の吸湿領域６３ａと室外熱交換器３３との間の空間が閉空間に構成されている。なお、ガイド６９の形状については、加湿ロータ６３の外周縁或いはその近傍から室外熱交換器３３に向かって延びる形状であれば、特に限定されるものではない。また、ガイド６９において、室外熱交換器３３側の端部を入口側端部、加湿ロータ６３側の端部を出口側端部とすると、特に入口側端部の形状については室外熱交換器３３の能力と加湿ロータ６３の吸湿能力とに基づいて設計されることが好ましい。
【００４２】
（２−２−５−１）加湿ロータ６３
加湿ロータ６３は、１つの板状の吸放湿材であって、室外熱交換器３３と室外ファン３９との間に配置されている。なお、加湿ロータ６３の形状は板状であればどのような形状であってもよい。本実施形態では、加湿ロータ６３は、円盤状を呈するものとする。また、ここでいう１つの板状の吸放湿材には、単体の板状の吸放湿材が加湿ロータ６３を構成しているものの他、同一形状又は異なる形状の吸放湿材が複数組み合わされて１つの板状の加湿ロータ６３を構成しているものも含まれる。加湿ロータ６３は、ゼオライト等の焼成によって形成されたハニカム構造のゼオライトロータである。加湿ロータ６３は、円盤の中心を回転軸として回転するように取り付けられ、加湿ロータ６３の周囲に設けられているギア６４に伝達されるロータ駆動モータ６５の動力によって回転駆動される。
【００４３】
加湿ロータ６３を形成しているゼオライト等の吸着剤は、例えば常温で空気から吸湿し、ヒータ７１などで高温に加熱された空気により常温よりも高い温度になることによって放湿するという性質を持っている。すなわち、加湿ロータ６３のうちの高温の空気にさらされていない領域が外気中から水分を吸着する吸湿領域６３ａになり、高温の空気にさらされている領域が吸着した水分を放出する放湿領域６３ｂになる。
【００４４】
また、加湿ロータ６３は、回転軸が前後方向に延びるように配置されている。すなわち、加湿ロータ６３は、鉛直面に沿って配備されている。なお、ここでいう加湿ロータ６３が鉛直面に沿って配備されているとは、加湿ロータ６３が鉛直面に対して全く傾斜していないものから、加湿ロータ６３が鉛直面に対して±１５°程度傾いて配置されているものまで含まれる。そして、本実施形態の加湿ロータ６３は、鉛直面に対して全く傾いていないものとする。このため、加湿ロータ６３は、前後方向に場所を取らないように幅方向（厚さ方向）が前後に延びる縦置きの配置となっている。
【００４５】
さらに、図１に示すように、加湿ロータ６３の吸湿領域６３ａが空調室外ユニット３０の送風機室Ｓ１に位置し、加湿ロータ６３の放湿領域６３ｂが空調室外ユニット３０の機械室Ｓ２に位置するように、加湿ロータ６３は仕切板４３の開口部４３ａに配置されている。なお、図４に示すように、本実施形態の加湿ロータ６３の吸湿領域６３ａは、送風機室Ｓ１の室外熱交換器３３と室外ファン３９との間に配置されており、室外熱交換器３３の第２部分３３ｂの前方に、室外熱交換器３３の第２部分３３ｂに正対するように隙間を空けて配置されている。このため、加湿ロータ６３の吸湿領域６３ａが室外熱交換器３３を通過する送風経路に掛かっており、この部分が吸湿経路となる。すなわち、加湿ロータ６３の吸湿領域６３ａが、吸湿経路内に配置されている。一方、加湿ロータ６３の放湿領域６３ｂは、放湿経路内に配置されている。
【００４６】
また、本実施形態の加湿ロータ６３の上端６３ｔは、室外熱交換器３３の上端３３ｔよりも低い位置にある。なお、空調室外ユニット３０の製品サイズが大きくなり過ぎない程度であれば、加湿ロータ６３と室外熱交換器３３との高さ位置の関係はこれに限定されない。例えば、加湿ロータ６３の上端６３ｔの高さ位置が室外熱交換器３３の上端３３ｔ近傍の高さ位置にあればよい。具体的には、加湿ロータ６３の上端６３ｔの高さが、室外熱交換器３３の上端３３ｔの高さと一致していてもよく、室外熱交換器３３の上端３３ｔよりも少し高い位置（例えば、室外熱交換器３３の高さの１０％程度高い位置）にあってもよい。
【００４７】
（２−２−５−２）ヒータ７１
ヒータ７１は、加湿ロータ６３の放湿領域６３ｂの側方に設けられている。ヒータ７１は、筒状の筐体の中に電熱線（図示省略）が設けられた構造であり、吸入口７２から吸入されて加湿ロータ６３に送られる外気を電熱線で加熱する。加湿ロータ６３では、加湿ロータ６３のハニカム構造の開口を加熱された空気が通り抜けるときに、加湿ロータ６３から放湿されることで、ターボファン７５に吸い込まれる空気が加湿される。
【００４８】
ヒータ７１は、図５に示すように、ヒータ支持部材７４に取り付けられている。ヒータ支持部材７４は、半円状の基部７４ａと、基部７４ａの周縁部から立設する外壁部７４ｂとを有し、側方（加湿ロータ６３側）が解放されている。そして、ヒータ７１はヒータ支持部材７４に覆われるように、基部７４ａに取り付けられている。ヒータ支持部材７４は、放湿経路の一部を構成している。なお、ヒータ７１の筐体及びヒータ支持部材７４は、耐熱性を必要とするため板金によって形成されている。また、ヒータ７１は、空調室外ユニット３０の機械室Ｓ２に設置されている。
【００４９】
（２−２−５−３）ターボファン７５
ターボファン７５は、空調室外ユニット３０から空調室内ユニット２０へと向かう空気流れを生成する。また、ターボファン７５は、加湿ロータ６３を挟んでヒータ７１と対向ように配置されている。さらに、ターボファン７５は、図２や図４に示すように、機械室Ｓ２に設置されている。
【００５０】
ターボファン７５は、ファンモータ７５ａと、ファンモータ７５ａによって駆動される羽根車７５ｂとを有しており、ターボファン７５の羽根車７５ｂの回転軸が前後方向に延びるように配置されている。このため、ターボファン７５は、前後方向に場所を取らない縦置きの配置となっている。また、ターボファン７５の吸込口７６は、後方に開口している。また、ターボファン７５の吐出口７７は、下方に開口している。そして、吐出口７７には、加湿ダクト７８を介して給気ダクト１８が取り付けられる。
【００５１】
（３）加湿運転時の空気流れ
図７は、加湿ロータ６３における空気流れを説明するための図である。図８は、加湿ロータ６３の放湿領域６３ｂ、吸湿領域６３ａ及び再熱領域６３ｃを説明するための図である。なお、図８では、加湿ロータ６３を正面から見た場合の放湿領域６３ｂ、吸湿領域６３ａ及び再熱領域６３ｃをそれぞれ示している。以下に、加湿運転時における空気の流れについて説明する。なお、空気調和装置１０では、加湿運転は暖房運転と組み合わせて行われるものとする。このため、加湿運転時には、圧縮機３１及び室外ファン３９が駆動している。また、加湿運転時には、加湿ロータ６３がロータ駆動モータ６５の動力によって所定の回転速度で回転しており、ヒータ７１及びターボファン７５が駆動している。なお、加湿ロータ６３は回転するので、吸湿領域６３ａでの吸湿によって加湿ロータ６３に吸着された水分は加湿ロータ６３の回転に伴って放湿領域６３ｂに運ばれ、放湿領域６３ｂでの放湿によって吸着されていた水分が脱着されることで放湿領域６３ｂの周囲の空気が加湿される。また、本実施形態の加湿ロータ６３は、正面から見て反計回りに回転しており、吸湿領域６３ａとして機能した部分が回転してヒータ支持部材７４に対向する位置に来ると放湿領域６３ｂとして機能する。
【００５２】
加湿運転時には室外ファン３９が駆動しているため、室外熱交換器３３の背面側から室外熱交換器３３を通して吸い込まれた外気が空調室外ユニット３０の正面側へと吹き出される空気流れが生成されている。室外熱交換器３３の第２部分３３ｂを通った外気の一部は、ガイド６９によって構成される空間を流れて加湿ロータ６３の吸湿領域６３ａに導かれる。加湿ロータ６３の吸湿領域６３ａへと至った空気は、後方から前方に向かって加湿ロータ６３の吸湿領域６３ａを通過し、ベルマウス４６ａを介して吹出口４４から吹き出される。
【００５３】
また、加湿運転時には、ターボファン７５が駆動しているため、空調室外ユニット３０から空調室内ユニット２０へと向かう空気流れ、すなわち吸入口７２から吸い込まれた外気が、加湿ロータ６３及びヒータ７１を介して給気ダクト１８に吹き出される空気流れが生成されている。より詳しくは、吸入口７２から吸入された外気は、まず、加湿ロータ６３の前方に回り込み、前方から後方に向かって加湿ロータ６３を通ってヒータ７１に至る。そして、ヒータ７１に至った外気は、ヒータ７１の筐体の中を通過する。このとき、ヒータ７１によって外気が加熱される。ヒータ７１の筐体を通過した空気は、加湿ロータ６３の放湿領域６３ｂに進み、加湿ロータ６３の放湿領域６３ｂを後方から前方に向かって通る。このとき、加湿ロータ６３の放湿領域６３ｂは、ヒータ７１によって温度が上昇した空気にさらされることで放湿する。そして、加湿ロータ６３の放湿領域６３ｂを抜けた空気は、フレーム７０に形成されている開口７０ａを介してターボファン７５に吸い込まれ、加湿ダクト７８を介して給気ダクト１８へと吹き出される。このように加湿ロータ６３によって加湿された空気は、給気ダクト１８を経て空調室内ユニット２０へと導かれる。
【００５４】
なお、この加湿ユニット６０では、図７及び図８に示すように、加湿ロータ６３のうち送風機室Ｓ１に位置する部分が吸湿領域６３ａになる。また、機械室Ｓ２に位置する加湿ロータ６３において、ヒータ７１よりも空気流れ下流側に位置する部分が放湿領域６３ｂとなり、それ以外の部分が再熱領域６３ｃとなる。再熱領域６３ｃは、吸入口７２から吸い込まれた外気が加湿ロータ６３を最初に通過する部分である。本実施形態の加湿ロータ６３は、正面視において反時計回りに回転しているため、吸湿領域６３ａ、放湿領域６３ｂ、再熱領域６３ｃの順に加湿ロータ６３の機能が入れ替わることになる。再熱領域６３ｃは、直前まで放湿領域６３ｂであった部分であることから、高温になっている。このため、吸入口７２から吸い込まれた外気は、再熱領域６３ｃを通過することで、再熱領域６３ｃの有する熱により加熱される。また、再熱領域６３ｃは外気が通過することで冷却され、加湿ロータ６３の回転により、その後、吸湿領域６３ａとなる。
【００５５】
（４）特徴
（４−１）
本実施形態では、加湿ロータ６３の吸湿領域６３ａの外周縁から室外熱交換器３３に向かって延びるガイド６９が設けられている。このため、室外熱交換器３３を通った外気が加湿ロータ６３の吸湿領域６３ａに到達し、吸湿領域６３ａを通過しやすくすることができる。したがって、通風抵抗により加湿ロータ６３の吸湿領域６３ａに外気が通らないという事態を回避することができる。
【００５６】
これによって、加湿ロータ６３において水分吸着量が低減するおそれを減らすことができている。
【００５７】
（４−２）
本実施形態では、ガイド６９が、加湿ロータ６３の吸湿領域６３ａの外周縁から室外熱交換器３３近傍まで延びている。このため、室外熱交換器３３を通った外気が加湿ロータ６３の吸湿領域６３ａに到達しやすくなっている。
【００５８】
（４−３）
本実施形態では、ガイド６９の端部が、室外熱交換器３３に突き当たるように構成されている。このため、室外熱交換器３３を通った外気が加湿ロータ６３の吸湿領域６３ａへと確実に到達しやすくなっている。
【００５９】
（４−４）
本実施形態では、仕切板４３、ガイド６９及び天板４８によって、加湿ロータ６３と室外熱交換器３３との間の空間が閉空間に構成されている。このため、室外熱交換器３３を通った外気が加湿ロータ６３の吸湿領域６３ａへと確実に到達しやすくなっている。
【００６０】
（５）変形例
（５−１）変形例Ａ
上記実施形態の空調室外ユニット３０では、後方から前方に向かって、加湿ユニット６０、電装品箱５０の順に配置されている。しかしながら、加湿ロータ６３の吸湿領域６３ａの外周縁から室外熱交換器３３に向かって延びるガイド６９が設けられていれば、加湿ユニット６０及び電装品箱５０の位置関係はこれに限定されるものではなく、例えば、図９に示すように、後方から前方に向かって、電装品箱５０、加湿ユニット６０の順に配置されていてもよい。
【００６１】
（５−２）変形例Ｂ
上記実施形態では、ガイド６９が加湿ロータ６３の外周縁から室外熱交換器３３近傍まで延びている。しかしながら、加湿ロータ６３の吸湿領域６３ａに外気を導けるのであれば、ガイド６９の構成はこれに限定されるものではない。例えば、ガイド６９の先端が、加湿ロータ６３から室外熱交換器３３までの距離の半分以上の位置まで延びていればよい。
【００６２】
また、上記実施形態では、仕切板４３、ガイド６９及び天板４８によって、加湿ロータ６３の吸湿領域６３ａと室外熱交換器３３との間の空間が閉空間に構成されている。しかしながら、加湿ロータ６３の吸湿領域６３ａに外気を導けるのであれば、必ずしも閉空間が形成されている必要はない。また、閉空間がガイドのみによって構成されていてもよい。
【００６３】
（５−３）変形例Ｃ
上記実施形態では、加湿ロータ６３の吸湿領域６３ａが空調室外ユニット３０の送風機室Ｓ１に位置し、加湿ロータ６３の放湿領域６３ｂが空調室外ユニット３０の機械室Ｓ２に位置するように、加湿ロータ６３が配置されている。これに代えて、加湿ロータ６３全体が送風機室Ｓ１に位置するように加湿ロータ６３が配置されていてもよい。
【産業上の利用可能性】
【００６４】
本発明は、ロータにおいて水分吸着量が低減するおそれを減らすことができるものであり、加湿ユニットを備える空調室外ユニットへの適用が有効である。
【符号の説明】
【００６５】
３０      空調室外ユニット
３３      室外熱交換器
３９      室外ファン
４０      ケーシング
６０      加湿ユニット
６３      加湿ロータ（ロータ）
６３ａ    吸湿領域
６３ｂ    放湿領域
６９      ガイド
【先行技術文献】
【特許文献】
【００６６】
【特許文献１】特開２００２−８９９０２号公報
【図１】
2015068592.tif 000003
【図２】
2015068592.tif 000004
【図３】
2015068592.tif 000005
【図４】
2015068592.tif 000006
【図５】
2015068592.tif 000007
【図６】
2015068592.tif 000008
【図７】
2015068592.tif 000009
【図８】
2015068592.tif 000010
【図９】
2015068592.tif 000011